(57)【特許請求の範囲】
【請求項１】
コンピュータに、
特定の施設を基準に設定される前記施設の周辺の道路の特性の影響範囲を設定可能な画面を表示し、
当該画面における前記特性の影響範囲の設定と、地図上の施設および道路区間に関するデータとに基づき、表示された画面において設定した前記特性の影響範囲に含まれ、前記影響範囲に属することに応じて道路の補修工事の種類の選択候補に影響を受ける道路区間を特定する情報を地図上に表示する
処理を実行させることを特徴とする道路工事計画プログラム。
【請求項２】
施設が複数指定された場合に、表示された画面において複数の施設のそれぞれに関する前記特性の影響範囲が重複する範囲に含まれる道路区間を、前記影響範囲に属することに応じて道路の補修工事の種類の選択候補に影響を受ける道路区間と識別可能に、地図上に表示する
処理をコンピュータに実行させることを特徴とする請求項１に記載の道路工事計画プログラム。
【請求項３】
路線の指定を受け付け、
前記影響を受ける道路区間の内の受け付けた前記路線を識別可能に表示する
処理をコンピュータに実行させることを特徴とする請求項１または２に記載の道路工事計画プログラム。
【請求項４】
前記影響範囲を前記特定の施設を中心とする円の半径で指定する
処理をコンピュータに実行させることを特徴とする請求項１乃至３のいずれか一項に記載の道路工事計画プログラム。
【請求項５】
コンピュータが、
特定の施設を基準に設定される前記施設の周辺の道路の特性の影響範囲を設定可能な画面を表示し、
当該画面における前記特性の影響範囲の設定と、地図上の施設および道路区間に関するデータとに基づき、表示された画面において設定した前記特性の影響範囲に含まれ、前記影響範囲に属することに応じて道路の補修工事の種類の選択候補に影響を受ける道路区間を特定する情報を地図上に表示する
処理を実行することを特徴とする道路工事計画方法。
【請求項６】
プロセッサが、
特定の施設を基準に設定される前記施設の周辺の道路の特性の影響範囲を設定可能な画面を表示し、
当該画面における前記特性の影響範囲の設定と、地図上の施設および道路区間に関するデータとに基づき、表示された画面において設定した前記特性の影響範囲に含まれ、前記影響範囲に属することに応じて道路の補修工事の種類の選択候補に影響を受ける道路区間を特定する情報を地図上に表示する
処理を実行することを特徴とする情報処理装置。
【発明の詳細な説明】
【技術分野】
【０００１】
本発明の実施形態は、道路工事計画プログラム、道路工事計画方法および情報処理装置に関する。
【背景技術】
【０００２】
多くの道路は、都道府県や市町村等の自治体によって管理されている。自治体では、限られた予算の中で劣化した道路（路線とも呼ぶ）を補修する工事を行い、管理対象の道路を維持することが求められている。このため、自治体では、予算の執行にあたり、劣化した道路の状況に応じた予算配分を行って道路工事の計画を立案する。
【先行技術文献】
【特許文献】
【０００３】
【特許文献１】特開２００８−５９３７６号公報
【発明の概要】
【発明が解決しようとする課題】
【０００４】
しかしながら、道路工事の計画を立案していく際に、特定の施設を基準とする範囲であり、道路工事の種類に影響を与える影響範囲に、路線の各区間が属するか否かを確認することは困難なことである。
【０００５】
例えば、道路工事を計画する際には、路線の区間ごとに異なる、劣化度合いや重要度合いなどの事情を考慮し、区間ごとに道路工事の種類を指定する。一例として、駅や病院などの重要な施設の近傍にある区間は、道路の重要度合いが高く、工事後の耐用年数が長くなる道路工事を選択することが好ましい。したがって、重要な施設を基準とする範囲内に路線の各区間が属するか否かを確認することが重要であるが、この確認作業は容易なことではない。
【０００６】
１つの側面では、道路工事計画を立案する際の確認を容易に行うことを可能とする道路工事計画プログラム、道路工事計画方法および情報処理装置を提供することを目的とする。
【課題を解決するための手段】
【０００７】
第１の案では、道路工事計画プログラムは、コンピュータに、特定の施設を基準に設定される施設の周辺の道路の特性の影響範囲を設定可能な画面を表示し、当該画面における特性の影響範囲の設定と、地図上の施設および道路区間に関するデータとに基づき、表示された画面において設定した特性の影響範囲に含まれ、影響範囲に属することに応じて道路の補修工事の種類の選択候補に影響を受ける道路区間を特定する情報を地図上に表示する処理を実行させる。
【発明の効果】
【０００８】
本発明の１実施態様によれば、道路工事計画を立案する際の確認を容易に行うことができる。
【図面の簡単な説明】
【０００９】
【図１】図１は、システム構成の一例を説明する説明図である。
【図２】図２は、実施形態にかかる情報処理装置の動作の一例を示すフローチャートである。
【図３】図３は、重要地点登録にかかる動作の一例を示すフローチャートである。
【図４】図４は、表示画面を説明する説明図である。
【図５】図５は、表示画面を説明する説明図である。
【図６】図６は、表示画面を説明する説明図である。
【図７】図７は、表示画面を説明する説明図である。
【図８】図８は、情報処理装置のハードウエア構成の一例を示すブロック図である。
【発明を実施するための形態】
【００１０】
以下、図面を参照して、実施形態にかかる道路工事計画プログラム、道路工事計画方法および情報処理装置を説明する。実施形態において同一の機能を有する構成には同一の符号を付し、重複する説明は省略する。なお、以下の実施形態で説明する道路工事計画プログラム、道路工事計画方法および情報処理装置は、一例を示すに過ぎず、実施形態を限定するものではない。また、以下の各実施形態は、矛盾しない範囲内で適宜組み合わせてもよい。
【００１１】
図１は、システム構成の一例を説明する説明図である。図１に示すように、実施形態にかかる情報処理装置１００は、ＬＡＮ（Local  Area  Network）、インターネット等のネットワークＮを介して端末装置２００と通信可能に接続するサーバ装置などである。端末装置２００は、ＰＣ（Personal  Computer）等である。情報処理装置１００、端末装置２００は、ＣＰＵ（Central  Processing  Unit）がプログラムを実行することで、各種処理を実行する（ハードウエア構成の詳細は後述する）。具体的には、情報処理装置１００は、ＣＰＵがプログラムを実行することで、道路工事計画にかかる各種処理を行う。また、端末装置２００は、ＣＰＵがプログラムを実行することで、情報処理装置１００との間の通信および情報処理装置１００へ各種処理を依頼してその結果を表示するためのＧＵＩ（Graphical  User  Interface）処理などを行う。
【００１２】
例えば、自治体の職員などであるユーザは、端末装置２００より情報処理装置１００へのログイン操作などを行って、道路工事計画に関する各種操作を行うＧＵＩ画面を情報処理装置１００より端末装置２００に表示させるように依頼する。次いで、ユーザは、端末装置２００に表示されたＧＵＩ画面より道路工事計画に関する各種処理を情報処理装置１００に依頼する。情報処理装置１００は、端末装置２００より受け付けた処理の依頼をもとに、道路工事計画に関する各種処理を実行し、処理結果を端末装置２００に出力する。これにより、ユーザは、端末装置２００において、道路工事計画の立案に関する業務を行うことができる。なお、情報処理装置１００は、自身がＧＵＩ処理を行う機能を有し、入力装置よりユーザから予算配分などに関する各種処理の依頼を受け付けて、その処理結果をモニタに表示してもよい。
【００１３】
図２は、実施形態にかかる情報処理装置１００の動作の一例を示すフローチャートである。情報処理装置１００は、ＣＰＵがプログラムを実行することで、図２に示すＳ１〜Ｓ６の各種処理を実行する。
【００１４】
先ず、情報処理装置１００は、処理が開始されると、ハードディスク装置等のストレージより路面調査データＤ１を取得する（Ｓ１）。路面調査データＤ１は、自治体が管理する道路についての実態を調査した調査結果を示すデータである。路面調査データＤ１には、道路の区間（キロポスト）ごとに、少なくとも路面の劣化度合いを示す情報と、道路を走行する車両の単位時間あたりの交通量を示す情報とが記述されている。
【００１５】
路面調査データＤ１における路面の劣化度合いを示す情報は、例えば、調査員がキロポストごとに路面を調査した際に、劣化度合いを段階別に評価したデータであってもよい。また、路面の劣化度合いを示す情報は、キロポストごとにカメラで路面を撮影した撮影データであってもよい。キロポストごとの撮影データについては、ＧＰＳ（Global  Positioning  System）と、路面撮影用のカメラとを搭載した調査用の車両を走行させて収集してもよい。
【００１６】
路面調査データＤ１における交通量を示す情報は、例えば、調査員がキロポストごとに行った交通量調査の結果であってもよい。また、交通量を示す情報は、道路の所定位置に配置された定点カメラによる撮影データから通過した車両がカウントされた値であってもよい。この交通量については、乗用車、トラック等の車種別、日中、夜間等の時間帯別に収集してもよい。
【００１７】
次いで、情報処理装置１００は、取得した路面調査データＤ１に含まれる劣化度合いを示す情報に基づいて、キロポスト毎の路面の劣化度合い（例えば、５段階評価又は点数評価）を確定する（Ｓ２）。具体的には、調査員が劣化度合いを段階別に評価したデータである場合は、その評価を劣化度合いとして確定する。また、路面を撮影した撮影データである場合は、モニタ等に撮影データを表示し、入力装置よりユーザの評価を受け付けて確定してもよい。また、情報処理装置１００は、公知の画像認識処理により、路面を撮影した撮影データから路面の状態を段階別に認識し、その認識結果を劣化度合いとして確定してもよい。
【００１８】
次いで、情報処理装置１００は、道路工事の種類に影響を与える特定の施設（以下、重要地点と呼ぶ）の登録をＧＵＩによってユーザより受け付ける（Ｓ３）。この重要地点の登録を行うＧＵＩは、ハードディスク装置等のストレージより読み出した地図・施設データＤ２に基づいた地図を表示し、ユーザからの重要地点の指定を受け付けて行う。
【００１９】
地図・施設データＤ２は、自治体が管理する地域における地図、道路の位置、地図上における施設等の環境に関する情報が記述されたデータである。具体的には、地図・施設データＤ２には、自治体が管理する道路のキロポストごとの位置とその範囲が緯度、経度、番地などで記述されている。また、地図・施設データＤ２には、地図上における施設の位置（緯度、経度、番地など）と、学校又は病院又は役所等の施設の種別を示す情報とが記述されている。また、地図上における環境に関する情報は、地図上における位置（緯度、経度、番地など）に関して調査した環境を示すデータであればいずれであってもよい。一例としては、人口統計（昼間人口、夜間人口など）、交通事故とその要因（急ブレーキ、スピード違反など）、都市計画法による用途地域（住居地域、商業地域など）、複数車線道路、一方通行道路などであってもよい。
【００２０】
ここで、重要地点の登録（Ｓ３）の詳細を説明する。図３は、重要地点登録にかかる動作の一例を示すフローチャートである。
【００２１】
図３に示すように、重要地点の登録が開始されると、情報処理装置１００は、地図・施設データＤ２を読み出し（Ｓ１０）、駅、線路、橋、病院等の施設、路線、川や山などの自然構造物などを所定の縮尺で記載した地図をＧＵＩの表示画面に表示する（Ｓ１１）。
【００２２】
次いで、情報処理装置１００は、ＧＵＩの表示画面において、地図上に表示した路線と、その路線のキロポストの一覧を地図・施設データＤ２を参照して表示する（Ｓ１２）。また、情報処理装置１００は、ＧＵＩの表示画面において、ボタン型アイコンやマーク等の操作・設定用の画像を表示する（Ｓ１３）。
【００２３】
図４は、表示画面Ｇを説明する説明図である。図４に示すように、表示画面Ｇは、地図表示Ｇ１、一覧表示Ｇ２および設定表示Ｇ３を有する。また、表示画面Ｇは、操作ボタンＢ１、Ｂ２、Ｂ３、Ｂ４、Ｂ５およびＢ６と、入力ボックスＢ７とを有する。
【００２４】
地図表示Ｇ１は、地図・施設データＤ２を参照して表示される地図であり、施設、路線、自然構造物などを所定の縮尺で表示する。なお、地図表示Ｇ１における路線については、路線に対応した路線名称Ｇ１０と、各キロポストに対応したキロポストマークＧ１１とを表示する。この路線名称Ｇ１０、キロポストマークＧ１１により、ユーザは路線同士の識別や、キロポストの位置を確認できる。
【００２５】
設定表示Ｇ３は、行Ｇ３１、Ｇ３２ごとに、重要地点とその重要地点が影響を及ぼす範囲の設定を受け付ける。具体的には、情報処理装置１００は、地図上の施設の一覧を地図・施設データＤ２より取得し、地点名の項目において、重要地点とする施設の選択を受け付ける。次いで、情報処理装置１００は、半径の項目において、影響を及ぼす範囲として、地点名の項目で設定された重要地点を中心とする円の半径の設定を受け付ける。
【００２６】
なお、上述した重要地点とその重要地点が影響を及ぼす範囲の設定は、一例であり、特に限定しない。例えば、重要地点の指定は、地図表示Ｇ１における地図上の所定の地点の指定であってもよい。この場合、地点名の項目では、重要地点として指定された施設の名称の入力を受け付けてもよい。また、重要地点が影響を及ぼす範囲の設定は、重要地点からの道のりが所定長となる範囲や、重要地点が含まれる区分（町や番地など）などであってもよい。なお、重要地点からの道のりが所定長となる範囲や重要地点が含まれる区分については、指定された重要地点をもとに地図・施設データＤ２を参照することで算出することができる。
【００２７】
操作ボタンＢ１は、キロポストごとに、重要地点の影響を受けるキロポストとするか否かの列Ｇ２１における選択設定の保存を指示するボタンである。情報処理装置１００は、操作ボタンＢ１の操作を受け付けることで、各キロポストが重要地点の影響を受けるキロポストであるか否かの設定を設定データとして保存する。
【００２８】
操作ボタンＢ２は、一覧表示Ｇ２におけるキロポストの一覧を閉じる指示を行うボタンである。操作ボタンＢ３、Ｂ４は、列Ｇ２１における選択設定の一括選択または一括解除を指示するボタンである。
【００２９】
操作ボタンＢ５は、各キロポストが重要地点の影響を受けるキロポストであるか否かの設定を設定データとして保存することなく、処理を終了するための指示を受け付けるボタンである。情報処理装置１００は、操作ボタンＢ５の操作を受け付けることで、設定データを保存せずに処理を終了する。操作ボタンＢ６は、前の処理に戻るための指示を受け付けるボタンである。情報処理装置１００は、操作ボタンＢ６の操作を受け付けることで、一つ前の処理に戻す。例えば、情報処理装置１００は、選択設定などの操作の履歴をメモリに保持し、操作ボタンＢ６の操作を受け付けた場合にはメモリの履歴をもとに、一つ前の操作が行われた状態に戻す。
【００３０】
入力ボックスＢ７は、路線の指定を受け付けるため、路線名などの入力を受け付けるボックスである。
【００３１】
図３に戻り、Ｓ１３に次いで、情報処理装置１００は、ＧＵＩにおける地図表示Ｇ１上の操作を受け付け（Ｓ１４）、受け付けた操作内容を判定する（Ｓ１５）。ＧＵＩの操作には、例えば、設定表示Ｇ３において重要地点とその重要地点が影響を及ぼす範囲を設定する、「重要地点」がある。
【００３２】
この「重要地点」である場合、情報処理装置１００は、重要地点とその重要地点が影響を及ぼす範囲の設定を受け付け（Ｓ１６）、受け付けた設定内容を地図表示Ｇ１および一覧表示Ｇ２に反映する（Ｓ１７）。
【００３３】
図５は、表示画面Ｇを説明する説明図であり、重要地点とその重要地点が影響を及ぼす範囲の設定を受け付け、受け付けた設定内容を反映する表示画面Ｇの説明図である。
【００３４】
図５に示すように、設定表示Ｇ３では、２つの重要地点と、その２つの重要地点が影響を及ぼす半径が設定されている。情報処理装置１００は、受け付けた２つの重要地点の位置をもとに地図・施設データＤ２を参照することで、地図表示Ｇ１における地図上の対応位置に中心表示Ｇ１３ａ、Ｇ１３ｂを行う。また、情報処理装置１００は、２つの重要地点の位置と、その２つの重要地点が影響を及ぼす半径とをもとに地図・施設データＤ２を参照することで地図表示Ｇ１における地図上の対応位置に範囲表示Ｇ１２ａ、Ｇ１２ｂを行う。
【００３５】
また、情報処理装置１００は、地図上の範囲表示Ｇ１２ａ内にある路線のキロポストについては、キロポストマークＧ１１とは異なるキロポストマークＧ１４ａとする。また、情報処理装置１００は、地図上の範囲表示Ｇ１２ｂ内にある路線のキロポストについては、キロポストマークＧ１１、Ｇ１４ａとは異なるキロポストマークＧ１４ｂとする。また、地図上の範囲表示Ｇ１２ａおよび範囲表示Ｇ１２ｂが重複する範囲内にある路線のキロポストについては、キロポストマークＧ１１、Ｇ１４ａ、Ｇ１４ｂとは異なるキロポストマークＧ１４ｃとする。このように、路線の各キロポストが範囲表示Ｇ１２ａ、Ｇ１２ｂそれぞれの範囲内または範囲表示Ｇ１２ａおよびＧ１２ｂが重複する範囲内であるか否かに応じてキロポストマークの表示態様を変更することで、ユーザは、キロポストが属する範囲を容易に識別できる。
【００３６】
また、ＧＵＩの操作には、例えば、行Ｇ３１、Ｇ３２を指定した重要地点の選択、一覧表示Ｇ２におけるキロポストの選択、入力ボックスＢ７により路線を指定した路線の選択などによって選択設定を行う「選択」がある。
【００３７】
この「選択」である場合、情報処理装置１００は、受け付けた選択内容を地図表示Ｇ１と一覧表示Ｇ２に反映し（Ｓ１８）、Ｓ１４に処理を戻す。これにより、ユーザは、選択設定を行った内容を地図表示Ｇ１または一覧表示Ｇ２により確認できる。
【００３８】
一覧表示Ｇ２は、重要地点が影響を及ぼす範囲に含まれるキロポストの一覧を表示する。より具体的には、１つのキロポストを１行とするキロポストの一覧表として表示する。この一覧表は、列Ｇ２１、Ｇ２２、Ｇ２３およびＧ２４を有する。
【００３９】
列Ｇ２１には、例えば、キロポストごとに、重要地点の影響を受けるキロポストとするか否かの選択設定を行う選択ボックスを表示する。ユーザは、この選択ボックスにより選択の有無を設定することで、各キロポストが重要地点の影響を受けるか否かを設定できる。列Ｇ２２〜Ｇ２４には、地図・施設データＤ２を参照して取得した路線ＩＤ、路線名、キロポスト等の情報を表示する。
【００４０】
具体的には、情報処理装置１００は、行Ｇ３１、Ｇ３２の選択をもとに、重要地点が影響を及ぼす範囲に属するキロポストの選択設定を行う。例えば、図５のように、行Ｇ３１が選択されている場合、情報処理装置１００は、行Ｇ３１に対応した重要地点の範囲表示Ｇ１２ａに属するキロポストを選択する。なお、範囲表示Ｇ１２ａに属するキロポストの選択は、地図・施設データＤ２に記述された環境（例えば、一方通行道路であるか否かなど）をもとに行われてもよい。そして、情報処理装置１００は、地図上において選択されたキロポストに選択マークＧ１５を表示する。また、情報処理装置１００は、一覧表示Ｇ２のキロポストの中で、範囲表示Ｇ１２ａに属するキロポストとして選択されたものに選択表示Ｇ２５を行い、列Ｇ２１における選択ボックスをオンにする。
【００４１】
また、情報処理装置１００は、一覧表示Ｇ２におけるキロポストの選択をもとに、キロポストの選択設定を行ってもよい。図６は、表示画面Ｇを説明する説明図であり、より具体的には、一覧表示Ｇ２におけるキロポストの選択を受け付けた場合を説明する図である。
【００４２】
図６に示すように、一覧表示Ｇ２の所定のキロポスト（図示例では２２号線の０．２キロポスト）が選択された場合、情報処理装置１００は、選択された行に選択表示Ｇ２５を行い、列Ｇ２１における選択ボックスをオンにする。そして、情報処理装置１００は、地図上のキロポストの中で、一覧表示Ｇ２において選択されたキロポストに対応するキロポストマークに選択マークＧ１５を表示する。
【００４３】
また、情報処理装置１００は、入力ボックスＢ７により路線を指定した選択によりキロポストの選択設定を行ってもよい。図７は、表示画面Ｇを説明する説明図であり、より具体的には、入力ボックスＢ７により路線を指定した場合のキロポストの選択設定を説明する図である。
【００４４】
図７に示すように、入力ボックスＢ７により路線の指定（図示例では２１号線）が行われた場合、情報処理装置１００は、指定された路線を一覧表示Ｇ２より取得する。次いで、情報処理装置１００は、指定された路線のキロポストの中で、範囲表示Ｇ１２ａ、Ｇ１２ｂ内に位置するキロポストを、地図・施設データＤ２を参照して抽出する。次いで、情報処理装置１００は、抽出されたキロポストの行に選択表示Ｇ２５を行い、列Ｇ２１における選択ボックスをオンにする。そして、情報処理装置１００は、地図上のキロポストの中で、一覧表示Ｇ２において選択されたキロポストに対応するキロポストマークに選択マークＧ１５を表示する。これにより、ユーザは、指定を行った路線について、範囲表示Ｇ１２ａ、Ｇ１２ｂ内に位置するキロポストを選択設定でき、その選択内容を地図表示Ｇ１または一覧表示Ｇ２により確認できる。
【００４５】
また、ＧＵＩの操作には、選択設定の「保存」がある。この「保存」である場合、情報処理装置１００は、列Ｇ２１における各キロポストの選択設定を設定データとしてメモリに保存し（Ｓ１９）、処理を終了する。
【００４６】
図２に戻り、Ｓ３に次いで情報処理装置１００は、重要地点の登録による設定データをもとに、キロポスト毎の重要度を確定する（Ｓ４）。具体的には、情報処理装置１００は、該当キロポストにおいて、重要地点の登録によりその需要地点の影響を受けると選択された場合の加点による加点方式で、キロポストの重要度を段階的（例えば、Ａ〜Ｃの３段階）に評価する。
【００４７】
情報処理装置１００は、重要地点の登録による設定データにおいて重要地点の影響を受けると選択されたキロポストについては、その重要地点の種別や範囲の大きさに応じた加点を行う。例えば、重要地点が病院、役所、駅等の重要性が高い施設である場合は２０点の加点を、学校、図書館などの重要性が中程度の施設である場合は１０点の加点を行う。また、重要地点の登録において設定された範囲が所定値よりも大きい場合は２０点の加点を、所定値未満である場合は１０点の加点を行う。
【００４８】
情報処理装置１００は、該当キロポストにおける重要地点に応じて加点が行われた得点をもとに、重要度を評価する。例えば、０≦（得点）＜５０点である場合は「Ｃ」、５０≦（得点）＜１００である場合は「Ｂ」、１００≦（得点）である場合は「Ａ」のような評価を行う。
【００４９】
次いで、情報処理装置１００は、道路工事の対象とする路線や予算額などのシミュレーションの諸条件をＧＵＩにより受け付けた後、受け付けた諸条件を満たす範囲で、キロポストごとの道路工事の種類の組み合わせを求める予算シミュレーションを実行する（Ｓ５）。
【００５０】
具体的には、情報処理装置１００は、道路工事の対象とする路線について、キロポストごとの劣化度、通行量および重要度をもとに、各キロポストの工法を選択する。例えば、劣化度合いが進み、重要度の高いキロポストほど費用の高い工法を選択する。そして、情報処理装置１００は、各キロポストにおいて選択した工法で工事費用を算出し、予算額に収まるキロポストごとの工法の組み合わせを求める。ここで、複数の組み合わせが得られた場合は、組み合わせに含まれる工法から耐用年数などの評価を行い、最も評価の高い組み合わせをシミュレーション結果としてもよい。
【００５１】
情報処理装置１００は、上述した予算シミュレーションによるシミュレーション結果を表示し、ＧＵＩの操作を介してユーザの承認を得る。情報処理装置１００は、ユーザの承認を得られたシミュレーション結果を道路工事計画として確定する。
【００５２】
次いで、情報処理装置１００は、予算シミュレーションで確定された道路工事計画をもとに、工事を発注するための発注処理を行う（Ｓ６）。具体的には、工事を行うと確定されたキロポスト、工法、費用などをもとに、申請書等の作成、予算にかかるデータベースへの登録などの処理を行う。
【００５３】
情報処理装置１００で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。
【００５４】
ところで、上記の実施形態で説明した各種の処理は、予め用意されたプログラムをコンピュータで実行することで実現できる。そこで、以下では、上記の実施例と同様の機能を有するプログラムを実行するコンピュータ（ハードウエア）の一例を説明する。図７は、実施形態にかかる情報処理装置１００のハードウエア構成を例示するブロック図である。
【００５５】
図７が示すように、情報処理装置１００は、各種演算処理を実行するＣＰＵ１０１と、データ入力を受け付ける入力装置１０２と、モニタ１０３と、スピーカ１０４とを有する。また、情報処理装置１００は、記憶媒体からプログラム等を読み取る媒体読取装置１０５と、各種装置と接続するためのインタフェース装置１０６と、有線または無線により外部機器と通信接続するための通信装置１０７とを有する。また、情報処理装置１００は、各種情報を一時記憶するＲＡＭ１０８と、ハードディスク装置１０９とを有する。また、情報処理装置１００内の各部（１０１〜１０９）は、バス１１０に接続される。
【００５６】
ハードディスク装置１０９には、上記の実施形態で説明した各種の処理を実行するためのプログラム１１１が記憶される。また、ハードディスク装置１０９には、プログラム１１１を実現するための各種データ１１２（路面調査データＤ１または地図・施設データＤ２など）が記憶される。入力装置１０２は、例えば、情報処理装置１００の操作者から操作情報の入力を受け付ける。モニタ１０３は、例えば、操作者が操作する各種画面を表示する。インタフェース装置１０６は、例えば印刷装置等が接続される。通信装置１０７は、ＬＡＮ（Local  Area  Network）等の通信ネットワークと接続され、通信ネットワークを介した外部機器との間で各種情報をやりとりする。
【００５７】
ＣＰＵ１０１は、ハードディスク装置１０９に記憶されたプログラム１１１を読み出して、ＲＡＭ１０８に展開して実行することで、各種の処理を行う。なお、プログラム１１１は、ハードディスク装置１０９に記憶されていなくてもよい。例えば、情報処理装置１００が読み取り可能な記憶媒体に記憶されたプログラム１１１を、情報処理装置１００が読み出して実行するようにしてもよい。情報処理装置１００が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこのプログラムを記憶させておき、情報処理装置１００がこれらからプログラムを読み出して実行するようにしてもよい。
【００５８】
以上のように、情報処理装置１００は、重要地点を基準に設定される重要地点の周辺の道路の特性（例えば重要度）の影響範囲を設定可能な表示画面Ｇを表示する。また、情報処理装置１００は、表示画面Ｇにおいて重要地点に関する特性の影響範囲に含まれ、影響範囲に属することに応じて道路の補修工事の種類の選択候補に影響を受ける道路区間を特定するキロポストマークを地図上に表示する。したがって、情報処理装置１００は、重要地点を基準とする範囲であり、道路工事の種類に影響を与える影響範囲に、路線の各キロポストが属するか否かを容易に確認でき、道路工事計画を立案する際の確認を容易とすることができる。
【符号の説明】
【００５９】
１００…情報処理装置
１０１…ＣＰＵ
１０２…入力装置
１０３…モニタ
１０４…スピーカ
１０５…媒体読取装置
１０６…インタフェース装置
１０７…通信装置
１０８…ＲＡＭ
１０９…ハードディスク装置
１１０…バス
１１１…プログラム
１１２…各種データ
２００…端末装置
Ｄ１…路面調査データ
Ｄ２…地図・施設データ
Ｇ…表示画面
Ｇ１…地図表示
Ｇ２…一覧表示
Ｇ３…設定表示
【図１】
0006575066.tif 000002
【図２】
0006575066.tif 000003
【図３】
0006575066.tif 000004
【図４】
0006575066.tif 000005
【図５】
0006575066.tif 000006
【図６】
0006575066.tif 000007
【図７】
0006575066.tif 000008
【図８】
0006575066.tif 000009